(57)【要約】      （修正有）【課題】軽作業から入浴介助など重労働になる介助作業まで快適かつ効率よく行うことができる介助用エプロンを提供する。【解決手段】前身頃と後ろ身頃を有し、身頃をＡラインに角度をつけ、後ろ裾部は直線にし、前首部と後ろ首部の開きを大きくし、後ろ留めボタンを設ける。ポケットを前・後左右・横左右に設け、素材にマイクロファイバー生地を用い、華やかなハワイ柄にする。【選択図】図１
0003154364.tif 000002
【実用新案登録請求の範囲】
【請求項１】
前身頃と後ろ身頃を有し、身頃をAラインに角度をつけ、後ろ裾部は直線にし、前首部と後ろ首部の開きを大きくし、後ろ留めボタンを設けたことを特徴とした介助、介護作業用エプロン。
【請求項２】
ポケットを前・後左右・横左右に設けたことを特徴とする請求項１に記載の介助、介護作業用エプロン。
【請求項３】
素材にマイクロファイバー生地を用いたことを特徴とする請求項１または２に記載の介助、介護作業用エプロン。
【請求項４】
華やかなハワイ柄にしたことを特徴とする請求項１から３のいずれかに記載の介助、介護作業用エプロン。
【考案の詳細な説明】
【技術分野】
【０００１】
この考案は、作業時に衣服の汚れを防ぎ利便性を高めるために着用する作業用エプロン
に関する。
【背景技術】
【０００２】
介助作業に使用されるエプロンとしては、各家庭で調理やその他の作業を行うときに用
いられる衣服の汚れを防止するエプロンを利用するのが一般的である。
【考案の概要】
【考案が解決しようとする課題】
【０００３】
本考案は、老人介護の重要性から介護される側が快適に過ごせるグッズは沢山販売され
ている反面、介助作業者に対しては考えられていないのが現状である。家庭では、快適か
つ効率よく明るく作業が出来ることにより『介護疲れ』となる要素を軽減するものとする。
訪問介護者には、重労働にも対応でき能率良く作業のできるものとする。
【課題を解決するための手段】
【０００４】
本考案は、前身頃と後ろ身頃を有し、身頃をAラインに角度をつけ、後ろ裾部は直線にし、前首部と後ろ首部の開きを大きくし、後ろ留めボタンを設けたことを特徴とした介助、介護作業用エプロンである。
【０００５】
また、本考案は、さらに、ポケットを前・後ろ左右・横左右に設けたことを特徴とする介助、介護作業用エプロンである。
【０００６】
また、本考案は、さらに、素材にマイクロファイバー生地を用いたことを特徴とする介助、介護作業用エプロンである。
【０００７】
また、本考案は、さらに、華やかなハワイ柄にしたことを特徴とする介助、介護作業用エプロンである。
【０００８】
本考案は、身頃を前後ともAライン短め丈にすること・後ろ裾部を直線にすることによ
り、抱きかかえる・足を広げる・座るなどの作業時に邪魔にならないようにする。前後ろ
の首部が大きくあいているため、被るだけで脱ぎ着ができる。後ろボタンにすることによ
り、サイズ調節ができる。
【０００９】
一度に沢山のものが持て、片手が使えない作業時にも便利なようにサイドポケット・後
ろポケットも含めて、例えば、合計で10個のポケットをつける。
【００１０】
素材にマイクロファイバー生地を使用する。この生地の特性として、吸水力・速乾性に
優れているため素材としては入浴介助時の効力が高い。
【００１１】
生地に華やかなハワイ柄を使用することにより、介護する側の気分を高め明るく作業ができる様にする。
【考案の効果】
【００１２】
以上説明したように、考案のハワイアン柄  介助作業用マイクロファイバーエプロンによって多数の効果が得られる。
前身頃と後ろ身頃を有する。身頃をAラインに角度をつけ、後ろ裾部は直線にし、足を広げる・座る・抱えるという作業にまつわりつかず軽快に作業ができる。ポケットを前・後ろ左右・横左右に数多く設け、作業時の細かなものをまとめて持つことができ能率良く作業ができる。素材にマイクロファイバー生地を使うことにより、入浴介助作業を快適にでき、非常に便利である。また、上記生地は速乾性にも優れているため  一日のエプロン使用枚数が減り、訪問介護の場合では衣服の着替えの必要性がなくなる。家庭でも洗濯後、アイロンがけ不要な生地なので毎日のアイロンがけが必要なくなる。
【００１３】
華やかなハワイ柄にすることで気分も明るく介護できる。前首部と後ろ首部の開きを大きくし、後ろ留めをボタンにすることにより急いでいる作業時でも、エプロンの後ろでヒモを結ぶことなく被れるので脱着が便利である。即座に被り作業に入ることが可能である特徴をもっている。
【００１４】
そして何よりも、毎日通うヘルパーさんに話をすることもなかった痴呆症の女性が、大きな赤い花柄のエプロンを見て『きれいね。』と初めて話しかけてくれたと喜びの声をいただいた。ただ着ているだけで自分も元気になれ、そして介護される老人の目から脳へも刺激する。訪問先の家族からも、家が華やかになって良いと評判の声がとても多いとの事である。
【００１５】
形状・素材の効果が多数得られることだけでなく、身につけているだけで自分も周りも元気になれる柄にも、本考案の大きな効果といえよう。そして課題でもある効率良く、明るく、こんな些細なことからでも介護疲れ、そして自殺者が少しでも減ってくれるような商品になっていって欲しい。
【図面の簡単な説明】
【００１６】
【図１】本考案の前身頃を示す図である。
【図２】本考案の後ろ身頃を示す図である。
【考案を実施するための形態】
【００１７】
以下、この考案の一実施形態について図面を参照して説明する。
図1には介助作業用エプロンの正面図を、図2には介助作業用エプロンの背面図をそれ
ぞれ示してあり、このエプロンは前身頃１と後ろ身頃２からなる角度のあるAラインの
形態となっている。丈は普通のエプロンよりも短めで身長により異なる3サイズ、すべて
前裾部３が膝上10〜15cmとなる。後ろ裾部４は直線で抱きかかえる際等、足を開いたり座ったりの作業の邪魔にならないようになっている。前首部と後ろ首部は開きを大きくし、幅が22cm〜25cm、深さは15cm〜20cmとした。
【００１８】
この丈、前裾部３、後ろ裾部４、Aラインの形状によって、座った際に後ろ身頃が前にきてしまったり、きついという現象がない。また前後・左右に足を開いても生地が邪魔をすることなく作業できる。
【００１９】
ボタン５上下は、外さない状態にしていても10首部が大きくあいているため、そのまま脱着できる。ボタン５下は、胴回りに合わせたサイズにできるようになっている。サイドポケット６の左右は、手の入れる口の大きさが大きくタオルを入れるにも十分な深さをもっている。後ろポケット９には、抱きかかえる作業時の安全性を考え硬いものなどは後ろポケットを利用する様にできている。
【００２０】
胸ポケットはペンの抜き忘れ防止上付けていない。前ポケット７、前ポケット８は2重になっている。正面から見ると手前ポケット７、後ろポケット８だが、着た状態では大き
いポケット８が手前があり、その外側に一段下がってポケット７が付いている。ポケット７、ポケット８は3つに仕切られている形となっている。従ってポケット数は前後ろ合わせ10個となる。
【産業上の利用可能性】
【００２１】
本考案は、老人介護の重要性から介護される側が快適に過ごせるグッズの製造業、介護、介助作業の実施に最適である。
【符号の説明】
【００２２】
１  前身頃  
２  後ろ身頃  
３    前裾部  
４    後ろ裾部  
５    ボタン
６    サイドポケット
７    前身頃  手前ホ゜ケット
８    前身頃  後ろホ゜ケット
９    後ろポケット
１０  首部
【図１】
0003154364.tif 000003
【図２】
0003154364.tif 000004